(57)【要約】  【課題】計量化を図り生産性にも優れ、耐荷重性を高めることができる棚板部材を提供すること。  【解決手段】棚板部材は、その棚板部、前幕板部及び奥幕板部が、基板２０を棚板部と前幕板部及び奥幕板部との境において形成された折曲溝２４、３０、４０、３６、４６により区画され、該折曲溝で可撓性シート２２が折り曲げられ、閉着されて、前幕板部及び奥幕板部が形成され、且つ、前幕板部１４は、前板部３２を構成する基板と下板部３４を構成する基板とを第２折曲溝３０を閉着することにより連結させるとともに、下板部を構成する基板と内板部３８を構成する基板とを第３折曲溝３６を閉着することにより連結されてなり、奥幕板部１６は、奥板部４２を構成する基板と下板部４４を構成する基板とを第２折曲溝４０を閉着することにより連結させるとともに、下板部を構成する基板と内板部４８を構成する基板とを第３折曲溝４６を閉着することにより連結されてなる。【選択図】図１
2008161506.tif 000002
【特許請求の範囲】
【請求項１】
一対の支持部材の間に架け渡される棚板部材であって、
平面状の上面を備えた棚板部と、
棚板部の前面において長手方向に連設された前幕板部と、
棚板部の奥面において長手方向に連設された奥幕板部と、
前記棚板部の平面状の上面とは反対側の裏面側に固定された補強板部とを備え、
棚板部、前幕板部及び奥幕板部は、その外表面が可撓性シートで覆われた基板によって形成され、前記基板及び可撓性シートは、その両端を切断できる材料で構成され、基板は、棚板部と前幕板部及び奥幕板部との境において形成された折曲溝により区画され、第１折曲溝で可撓性シートが折り曲げられ、第１折曲溝を閉着されて、前幕板部及び奥幕板部が形成され、
棚板部は、可撓性シートにより棚板部の平面状上面を形成し、
前幕板部は、基板を区画する第２折曲溝により区画されて、前板部と下板部とが形成され、基板を区画する第３折曲溝により区画されて、下板部と内板部とが形成され、前板部を構成する基板と下板部を構成する基板とを第２折曲溝を閉着することにより連結させるとともに、下板部を構成する基板と内板部を構成する基板とを第３折曲溝を閉着することにより連結されてなり、
奥幕板部は、基板を区画する第２折曲溝により区画されて、奥板部と下板部とが形成され、基板を区画する第３折曲溝により区画されて、下板部と内板部とが形成され、奥板部を構成する基板と下板部を構成する基板とを第２折曲溝を閉着することにより連結させるとともに、下板部を構成する基板と内板部を構成する基板とを第３折曲溝を閉着することにより連結されてなり、
棚板部、前板部及び奥板部は、対向する支持部材の対向面に沿うように切断されて木口部が形成され、木口部が支持部材の対向面に接し合わされて架け渡されるように形成された、棚板部材。
【請求項２】
前板部の内側面と奥板部の内側面との間であって棚板部の下面において、支持部材に棚板部材を係止するフックにより支持部材に固定された、請求項１に記載の棚板部材。
【請求項３】
基板は、平面状表面と平面状裏面とが平行な板材からなり、
裏面側から基板の表面に貼着された可撓性シートに向けて、基板に施されたＶカット加工により形成された第１折曲溝、第２折曲溝及び第３折曲溝により区画され、
第１折曲溝、第２折曲溝及び第３折曲溝は、溝底から基板の裏面に向けてのびる溝壁のなす角度は直角で、溝壁と基板の裏面との間の補角は、左右等しくなるように形成された、請求項１又は２に記載の棚板部材。
【請求項４】
前幕板部は、前板部と内板部との間に間隔が設けられ、該間隔の中に、中空部及び／又は第２補強材を嵌装された中実部が形成された、請求項１ないし３に記載の棚板部材。
【請求項５】
奥幕板部は、奥板部と内板部との間に間隔が設けられ、該間隔の中に、中空部及び／又は第２補強材を嵌装された中実部が形成された、請求項１ないし４に記載の棚板部材。
【請求項６】
棚板部、前幕板部及び奥幕板部は、棚板部の前端と奥端、前幕板部の前面、奥幕板部の後面に直交するように切断したとき、どこを切断しても同一形状となるように構成された、請求項１ないし５に記載の棚板部材。
【請求項７】
前幕板部及び／又は奥幕板部の内板部の木口部は、棚板部の裏面と密着して固着させた、請求項１ないし６に記載の棚板部材。
【請求項８】
第１補強材は、その左右の木口部が前幕板部及び／又は奥幕板部の内板部の内側面と密着して固定された、請求項１ないし７に記載の棚板部材。
【発明の詳細な説明】
【技術分野】
【０００１】
この発明は、収納を目的とする棚板部材に関し、特に棚を構成する支持部材の間の間隔に合わせてその幅を調節することができる、調節式棚板部材に関する。
【背景技術】
【０００２】
従来の収納用棚として、特に、端面Ｖ字状に切除してなるＶカット溝により、製造された棚板が提案されている。
【０００３】
【特許文献１】特開平５−８４７１２号公報
【特許文献２】特開２００１−１６１４５８号公報
【発明の開示】
【発明が解決しようとする課題】
【０００４】
棚板部材は、棚板上部からの耐荷重を高めることが必要であり、比較的薄い板の形状であっても耐荷重性に優れた棚板が求められている。
従来のこの加工性をあげて製造を容易化するために、Ｖカット加工を施すことにより強度を増し生産性を高める方法が提案されているが、より一層前記目的を達成するに好適な棚板が望まれている。
【０００５】
それゆえに、この発明の主たる目的は、軽量化を図り生産性にも優れ、耐荷重性を高めることができる棚板部材を提供することである。
【課題を解決するための手段】
【０００６】
この発明にかかる棚板部材は、一対の支持部材の間に架け渡される棚板部材であって、平面状の上面を備えた棚板部と、棚板部の前面において長手方向に連設された前幕板部と、棚板部の奥面において長手方向に連設された奥幕板部と、前記棚板部の平面状の上面とは反対側の裏面側に固定された補強板部とを備え、棚板部、前幕板部及び奥幕板部は、その外表面が可撓性シートで覆われた基板によって形成され、前記基板及び可撓性シートは、その両端を切断できる材料で構成され、基板は、棚板部と前幕板部及び奥幕板部との境において形成された折曲溝により区画され、第１折曲溝で可撓性シートが折り曲げられ、第１折曲溝を閉着されて、前幕板部及び奥幕板部が形成され、棚板部は可撓性シートにより棚板部の平面状上面を形成し、前幕板部は、基板を区画する第２折曲溝により区画されて、前板部と下板部とが形成され、基板を区画する第３折曲溝により区画されて、下板部と内板部とが形成され、前板部を構成する基板と下板部を構成する基板とを第２折曲溝を閉着することにより連結させるとともに、下板部を構成する基板と内板部を構成する基板とを第３折曲溝を閉着することにより連結されてなり、奥幕板部は、基板を区画する第２折曲溝により区画されて、奥板部と下板部とが形成され、基板を区画する第３折曲溝により区画されて、下板部と内板部とが形成され、奥板部を構成する基板と下板部を構成する基板とを第２折曲溝を閉着することにより連結させるとともに、下板部を構成する基板と内板部を構成する基板とを第３折曲溝を閉着することにより連結されてなり、棚板部、前板部及び奥板部は、対向する支持部材の対向面に沿うように切断されて木口部が形成され、木口部が支持部材の対向面に接し合わされて架け渡されるように形成されている。
この発明の請求項２にかかる棚板部材は、前板部の内側面と奥板部の内側面との間であって棚板部の下面において、支持部材に棚板部材を係止するフックにより支持部材に固定された、請求項１に記載の棚板部材である。
この発明の請求項３にかかる棚板部材は、基板は、平面状表面と平面状裏面とが平行な板材からなり、裏面側から基板の表面に貼着された可撓性シートに向けて、基板に施されたＶカット加工により形成された第１折曲溝、第２折曲溝及び第３折曲溝により区画され、第１折曲溝、第２折曲溝及び第３折曲溝は、溝底から基板の裏面に向けてのびる溝壁のなす角度は直角で、溝壁と基板の裏面との間の補角は、左右等しくなるように形成された、請求項１又は２に記載の棚板部材である。
この発明の請求項４にかかる棚板部材は、前幕板部は、前板部と内板部との間に間隔が設けられ、該間隔の中に、中空部及び／又は第２補強材を嵌装された中実部が形成された、請求項１ないし３に記載の棚板部材である。
この発明の請求項５にかかる棚板部材は、奥幕板部は、奥板部と内板部との間に間隔が設けられ、該間隔の中に、中空部及び／又は第２補強材を嵌装された中実部が形成された、請求項１ないし４に記載の棚板部材である。
この発明の請求項６にかかる棚板部材は、棚板部、前幕板部及び奥幕板部は、棚板部の前端と奥端、前幕板部の前面、奥幕板部の後面に直交するように切断したとき、どこを切断しても同一形状となるように構成された、請求項１ないし５に記載の棚板部材である。
この発明の請求項７にかかる棚板部材は、前幕板部及び／又は奥幕板部の内板部の木口部は、棚板部の裏面と密着して固着させた、請求項１ないし６に記載の棚板部材である。
この発明の請求項８にかかる棚板部材は、第１補強板は、その左右の木口部が前幕板部及び／又は奥幕板部の内板部の内側面と密着して固定された、請求項１ないし７に記載の棚板部材である。
【発明の効果】
【０００７】
この発明によれば、折曲溝により区画された基板を折曲溝に閉着することにより連結して、棚板部と、棚板部の前面において長手方向に連設された前幕板部と、棚板部の奥面において長手方向に連設された奥幕板部とを構成することができ、比較的軽量な薄い基板によって、適宜な厚みがあり耐荷重性に優れた棚板部材を得ることができる。
請求項２の発明によれば、前板部の内側面と奥板部の内側面との間であって棚板部の下面において、支持部材に棚板部材を係止するフックにより支持部材に固定されているので、強固に棚板部材を固定できる。
請求項３の発明によれば、基板は、平面状表面と平面状裏面とが平行な板材からなり、
裏面側から基板の表面に貼着された可撓性シートに向けて、基板に施されたＶカット加工により形成された第１折曲溝、第２折曲溝及び第３折曲溝により区画され、第１折曲溝、第２折曲溝及び第３折曲溝は、溝底から基板の裏面に向けてのびる溝壁のなす角度は直角で、溝壁と基板の裏面との間の補角は、左右等しくなるように形成されているので、能率的に棚板部材を生産できる。
請求項４の発明によれば、前幕板部は、前板部と内板部との間に間隔が設けられ、該間隔の中に、中空部及び／又は第２補強材を嵌装された中実部が形成されたているので、棚板部材の反りを防ぐとともに棚板強度も増すことができるようにすることができる。
請求項５の発明によれば、奥幕板部は、奥板部と内板部との間に間隔が設けられ、該間隔の中に、中空部及び／又は第２補強材を嵌装された中実部が形成されているので、棚板部材の反りを防ぐとともに棚板強度も増すことができるようにすることができる。
請求項６の発明によれば、棚板部、前幕板部及び奥幕板部は、棚板部の前端と奥端、前幕板部の前面、奥幕板部の後面に直交するように切断したとき、どこを切断しても同一形状となるように構成されているので、棚を作るに際し前と奥を気にすることなく組立を容易にできる。
請求項７の発明によれば、前幕板部及び／又は奥幕板部の内板部の木口部は、棚板部の裏面と密着して固着させているので、棚板部材の反りを防ぐとともに棚板強度も増すことができるようにすることができる。
請求項８の発明によれば、第１補強材は、その左右の木口部が前幕板部及び／又は奥幕板部の内板部の内側面と密着して固定されているので、棚板部材の反りを防ぐとともに棚板強度も増すことができるようにすることができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態である棚板部材の一部を断面とした斜視図である。
図２は、図１図示棚板部材の製作過程を示す断面図解図である。
図３は、図１図示棚板部材の製作過程を示す断面図解図である。
図４は、図１図示棚板部材と支持部材との連結方法を示す斜視図解図である。
図５は、図１図示棚板部材と支持部材との連結方法を示す横断面図解図である。
この棚板部材１０は、左右一対の支持部材１００及び支持部材１０２の間に架け渡されるものであって、支持部材１００を構成する一方の側板と支持部材１０２を構成する他方の側板との間隔を適宜変更されることに対応して、棚板部材１０の長手方向の長さ、すなわち、幅を調整するために適宜丸鋸等で切断することができるように構成されている。
【００１０】
棚板部材１０は、平面状の上面を備えた棚板部１２と、前記棚板部１２の前面において長手方向に連設された前幕板部１４と、前記棚板部１２の奥面において長手方向に連設された奥幕板部１６とを備える。
【００１１】
棚板部１２、前幕板部１４及び奥幕板部１６は、その外表面が可撓性シート２２で覆われた基板２０によって形成されている。
基板２０としては、たとえばミディアム・デンシティ・ファイバーボード（ＭＤＦ）の板材からなる。
可撓性シート２２としては、その表面に木目などの印刷模様が施された柔軟な樹脂シートからなる。
可撓性シート２２としては、塩化ビニル、オレフィンなどのプラスチックシート、不織布の表面に天然木のつき板単板を貼着した突き板シート、樹脂含浸紙、ポリエチレン等の樹脂層を挟んだ紙シートが適する。
基板２０及び可撓性シート２２は、丸鋸等で切断することができる材料で構成されている。
【００１２】
基板２０は、棚板部１２と前幕板部１４及び奥幕板部１６との境において、Ｖカット加工を施されて形成された第１折曲溝２４により区画され、第１折曲溝２４で可撓性シート２２が折り曲げられ、第１折曲溝２４を構成する基板２０の溝壁を閉着されて、前幕板部１４及び奥幕板部１６が形成されている。
基板２０は、平面状表面と平面状裏面とが平行な板材からなり、可撓性シート２２は、基板２０の平面状表面に全面に亘って貼着されている。
【００１３】
第１折曲溝２４は、基板２０の裏面から基板２０の表面に貼着された可撓性シート２２に向けて、基板２０に施されたＶカット加工により形成され、溝底から基板２０の裏面に向けて延びる第１溝壁２４ａ及び第２溝壁２４ｂのなす角度（θ１）は直角で、第１溝壁２４ａ及び第２溝壁２４ｂと基板２０の裏面との間の補角（θ２及びθ２）は左右等しくなるように形成されている。
第１折曲溝２４は、基板２０の長手方向に連続して形成されている。
【００１４】
第１折曲溝２４は、第１溝壁２４ａの中間点２４ａ１より可撓性シート２２の裏面に向けて基板２０の裏面に直交する第１面取り用溝２６ａと、第２溝壁２４ｂの中間点２４ｂ１より可撓性シート２２の裏面に向けて基板２０の裏面に直交する第２面取り用溝２６ｂと、第１面取り用溝２６ａの基板２０側の溝底より第２溝壁２４ｂに向けて伸び、基板２０の裏面と斜交する第３面取り用溝２６ｃと、第２面取り用溝２６ｂの基板２０側の溝底より第１溝壁２４ａに向けて伸び基板２０の裏面と斜交する第４面取り用溝２６ｄとを備える。
第３面取り用溝２６ｃと第４面取り用溝２６ｄとは、第１折曲溝２４の中間で直交して略二等辺三角形状の面取り部２８を形成する。
面取り部２８の頂点は、第１溝壁２４ａと第１面取り用溝２６ａとの交点たる中間点２４ａ１及び第２溝壁２４ｂと第２面取り用溝２６ｂとの交点たる中間点２４ｂ１と、第１折曲溝２４を閉着したときに交じわる。
そして、第１折曲溝２４を閉じて、第１溝壁２４ａと第２溝壁２４ｂ、第１面取り用溝２６ａと第３面取り用溝２６ｃ、第２面取り用溝２６ｂと第４面取り用溝２６ｄ、それぞれを接し合わせて接着すれば、面取り部２８の底辺部分で面取りした形状を構成できる。
【００１５】
前幕板部１４は、基板２０を区画する第２折曲溝３０により区画されて、前板部３２と下板部３４が形成され、且つ、基板２０を区画する第３折曲溝３６により区画され、下板部３４と内板部３８とが形成され、前板部３２を構成する基板２０と下板部３４を構成する基板２０と第２折曲溝３０を閉着することにより連結させるとともに、下板部３４を構成する基板２０と内板部３８を構成する基板２０と第３折曲溝３６を閉着することにより連結されてなる。
第２折曲溝３０及び第３折曲溝３６は、第２折曲溝３０の第１溝壁３０ａと第２溝壁３０ｂとのなす角度が９０°であり、第３折曲溝３６の第１溝壁３６ａと第２溝壁３６ｂとのなす角度が９０°であり、基板２０の長手方向に連続して形成されている。
前幕板部の下板部３４は、断面略二等辺三角形状である。
【００１６】
奥幕板部１６は、前記前幕板部１４と同様な構造を備え、基板２０を区画する第２折曲溝４０により区画されて、奥板部４２と下板部４４とが形成され、基板２０を区画する第３折曲溝４６により区画されて、下板部４４と内板部４８とが形成され、奥板部４２を構成する基板２０と下板部４４を構成する基板２０とを第２折曲溝４０を閉着することにより連結させるとともに下板部４４を構成する基板２０と内板部４８を構成する基板２０と第３折曲溝４６を閉着することにより連結されてなる。
第２折曲溝４０及び３折曲溝４６は、第２折曲溝４０の第１溝壁４０ａと第２溝壁４０ｂとのなす角度が９０°であり、第３折曲溝４６の第１溝壁４６ａと第２溝壁４６ｂとのなす角度が９０°であり、基板２０の長手方向に連続して形成されている。
奥幕板部の下板部４４は、断面略二等辺三角形状である。
【００１７】
第１折曲溝２４と第２折曲溝３０及び第３折曲溝３６と第２折曲溝４０及び３折曲溝４６は、平行に形成されている。
【００１８】
第２折曲溝３０と第２折曲溝４０及び第３折曲溝３６と第３折曲溝４６とは、溝底から基板２０の裏面に向けて延びる溝壁のなす角度は直角で、溝壁と基板２０の裏面との間の補角は左右等しくなるように形成されている。
前幕板部１４の内板部３８の木口部は、棚板部１２の裏面と密着して固着され、また、奥幕板部１６の内板部４８の木口部は、棚板部１２の裏面と密着して固着されている。
更に、棚板部１２の平面状の上面と反対側の裏面側に補強部を構成する第１補強材５０は、その左右の木口部が、前幕板部１４の内板部３８の内面及び奥幕板部１６の内板部４８の内面に接し合わされている。第１補強材５０は、断面長方形の板状体からなる。
【００１９】
前幕板部１４は、棚板部１２の前面において直交するように連設された断面略方形状の柱状体を構成し、また、奥幕板１６は棚板部１２の奥面において直交するように連設された断面略方形の柱状体を構成し、棚板部１２と前幕板部１４と奥幕板部１６とを備える棚板部材１０は、横断面が左右対称性（鏡映対称性）を備えている。
そのために、実際の使用にあたっては、前幕板部１４を必ず前面に受けて支持部材１００及び支持部材１０２の間に架け渡す必要性はなく、奥幕板部１６を前面に向けて支持部材１００と支持部材１０２との間に架け渡してもよい。
また、棚板部１２、前幕板部１４及び奥幕板部１６は、棚板部１２の前端と後端、前幕板部１４の前面、奥幕板部１６の後面に直交するように切断したとき、どこを切断しても同一形状となるように構成されている。
【００２０】
次に、この棚板部材１０を実際に使用する場合について説明する。
まず、対向する支持部材１００及び支持部材１０２を構成する一対の側板の対向する対向面に沿うように、前幕板部１４の前面及び奥幕板部１６の後面に直交するように切断されて左右の木口部６０及び木口部６２を形成し、左側の木口部６２を左側の支持部材１０２の内側面すなわち右側の支持部材１００との対向面に接し合わせて例えばフックピン等の支持具１０４又は支持具１０６によって固定するとともに右側の木口部６２を右側の支持部材１００の内側面すなわち左側の支持部材１０２と対向する面に接し合わせてフックピン等の支持具１０４又は支持具１０６によって固定する（図４参照）。
すなわち、前幕板部１４の前板部３２と奥幕板部１６の奥板部４２の内側面との間であって棚板部１２の下面において、支持部材１００、１０２に棚板部材１０を係止するフックなどの支持具１０４及び１０６により支持部材１００及び支持部材１０２に固定される（図５参照）。
支持具１０４、１０６は、棚板部材１０の前幕板部１４の内側と密着し、また、奥幕板部１６の奥板部４２の内側と密着するようにすれば、棚板部材１０が前後方向にずれることはなく支持部材１００及び支持部材１０２に密に固定される。
【００２１】
このように、この棚板部材１０は、その幅寸法を任意の場所でカットすることによりその幅を調整することができ、支持部材１００及び１０２に棚板部材１０を係止固定するための支持具１０４及び１０６に対応する加工をすることなく、支持部材１００及び支持部材１０２を構成する左右の側板の間に嵌め込むことにより固定することができ、且つ、一旦固定すると、支持具１０４、１０６から棚板部材１０が外れることなく、安定的に固定される。
また、横断面形状が、左右対称性を有するように構成されているので、前後がなく、適宜棚板として用いることができ、きわめて便利である。
【００２２】
この発明は、前記実施の形態の棚板部材に限られることなく、この発明の思想に基づき
変更することができる。
例えば、図６ないし８で示すように、前幕板１４は、前板部３２と内板部３８との間に間隔が設けられるように下板部３４を構成する基板２０の幅を前記実施の形態より長くし、前板部３２と内板部３８との間に間隔が設けられ、該間隔の中に、第２補強材５２が貫挿され前板部３２及び内板部３８の内表面と接着されてもよい。
第２補強材５２としては、鉄板、バッカーなどの間隔に対応する形状の剛性に優れた板状体を貫挿すればよく、より一層この第２補強材５２により棚板部材１０の反りを防ぐとともに棚板強度も増すことができるようにすることができる。
尚、図９で示すように、該間隔の中に前記第２補強材５２を入れないで、中空部のまま用いてもよい。
【００２３】
第１折曲溝２４は、図１０に示すように変更してもよい。
図１０に示す棚板部材は、基板２２０が、棚板部２１２と前幕板部２１４及び奥幕板部２１６との境において、Ｖカット加工を施されて形成された第１折曲溝２２４により区画され、第１折曲溝２２４で可撓性シート２２２が折り曲げられ、第１折曲溝２２４を構成する基板２２０の溝壁を閉着されて、前幕板部２１４及び奥幕板部２１６が形成されている。
基板２２０は、平面状表面と平面状裏面とが平行な板材からなり、可撓性シート２２２は、基板２２０の平面状表面に全面に亘って貼着されている。
【００２４】
第１折曲溝２２４は、内面側折曲溝２２４Ａと外側折曲溝２２４Ｂとが並設された２条の折曲溝からなり、基板２２０の裏面から基板２２０の表面に貼着された可撓性シート２２２に向けて、基板２２０に施されたＶカット加工により形成されている。
そして、内面側折曲溝２２４Ａは、溝底から基板２２０の裏面に向けて延びる第１溝壁２２４Ａ１及び第２溝壁２２４Ａ２のなす角度は直角で、第１溝壁２２４Ａ１及び第２溝壁２２４Ａ２と基板２２０の裏面との間の補角は左右等しくなるように形成されている。
また、外側折曲溝２２４Ｂは、溝底から基板２２０の裏面に向けて延びる第１溝壁２２４Ｂ１及び第２溝壁２２４Ｂ２のなす角度は直角で、第１溝壁２２４Ｂ１及び第２溝壁２２４Ｂ２と基板２２０の裏面との間の補角は左右等しくなるように形成されている。
第１折曲溝２２４は、基板２２０の長手方向に連続して形成されている。
【００２５】
第２溝壁２２４Ａ２及び第１溝壁２２４Ｂ１とは、第１折曲溝２２４の中間で直交して略二等辺三角形状の面取り部２２８を形成する。
そして、第１折曲溝２２４を閉じて、内面側折曲溝２２４Ａの第１溝壁２４Ａ１と第２溝壁２４Ａ２、外側折曲溝２２４Ｂの第１溝壁２４Ｂ１と第２溝壁２２４Ｂ２、それぞれを接し合わせて接着すれば、面取り部２２８の底辺部分で面取りした形状を構成できる。
【００２６】
次に、図６図示棚板部材１０を実際に使用する場合について説明する。
まず、対向する支持部材１００及び支持部材１０２を構成する一対の側板の対向する対向面に沿うように、前幕板部１４の前面及び奥幕板部１６の後面に直交するように切断されて左右の木口部６０及び木口部６２を形成し、左側の木口部６２を左側の支持部材１０２の内側面すなわち右側の支持部材１００との対向面に接し合わせて例えばフックピン等の支持具１０８によって固定するとともに右側の木口部６２を右側の支持部材１００の内側面すなわち左側の支持部材１０２と対向する面に接し合わせてフックピン等の支持具１０８によって固定する（図１１参照）。
【産業上の利用可能性】
【００２７】
この発明にかかる棚板部材は、たとえば棚やクローゼット等に利用でき、種々の棚の棚板として利用できる。
【図面の簡単な説明】
【００２８】
【図１】この発明の一実施の形態である棚板部材の一部を断面とした斜視図である。
【図２】図１図示棚板部材の製作過程を示す断面図解図である。
【図３】図１図示棚板部材の製作過程を示す、展開した棚板部材の全体の断面図解図である。
【図４】図１図示棚板部材と支持部材との連結方法を示す斜視図解図である。
【図５】図１図示棚板部材と支持部材との連結方法を示す横断面図解図である。
【図６】この発明の別の実施の形態である棚板部材の一部を断面とした斜視図である。
【図７】図６図示棚板部材の製作過程を示す断面図解図である。
【図８】図６図示棚板部材の製作過程を示す、展開した棚板部材の全体の断面図解図である。
【図９】図６図示棚板部材の変形例たる棚板部材の一部を断面とした斜視図である。
【図１０】図１図示棚板部材の変形例たる棚板部材の製作過程を示す断面図解図であり、（Ａ）は展開した棚板部材の全体の断面図解図であり、（Ｂ）は第１折曲溝を閉着した状態を示す断面図解図である。
【図１１】図６図示棚板部材と支持部材との連結方法を示す斜視図解図である。
【符号の説明】
【００２９】
１０  棚板部材
１２、２１２  棚板部
１４、２１４  前幕板部
１６、２１６  奥幕板部
２０、２２０  基板
２２、２２２  可撓性シート
２４、２２４  第１折曲溝
２２４Ａ  内側折曲溝
２２４Ｂ  外側折曲溝
２４ａ、２２４Ａ１、２２４Ｂ１  第１溝壁
２４ｂ、２２４Ａ２、２２４Ｂ２  第２溝壁
２４ａ１，２４ｂ１  中間点
２６ａ  第１面取り用溝
２６ｂ  第２面取り用溝
２６ｃ  第３面取り用溝
２６ｄ  第４面取り用溝
２８、２２８  面取り部
３０，４０  第２折曲溝
３０ａ，４０ａ  第１溝壁
３０ｂ，４０ｂ  第２溝壁
３６，４６  第３折曲溝
３６ａ，４６ａ  第１溝壁
３６ｂ，４６ｂ  第２溝壁
３２  前幕板部の前板部
３４  前幕板部の下板部
３８  前幕板部の内板部
４２  奥幕板部の奥板部
４４  奥幕板部の下板部
４８  奥幕板部の内板部
５０  第１補強材
５２  第２補強材
６０，６２木口部
１００，１０２  支持部材
１０４，１０６，１０８  支持具
【図１】
2008161506.tif 000003
【図２】
2008161506.tif 000004
【図３】
2008161506.tif 000005
【図４】
2008161506.tif 000006
【図５】
2008161506.tif 000007
【図６】
2008161506.tif 000008
【図７】
2008161506.tif 000009
【図８】
2008161506.tif 000010
【図９】
2008161506.tif 000011
【図１０】
2008161506.tif 000012
【図１１】
2008161506.tif 000013